(57)【要約】      （修正有）【課題】導水管が樹脂管や樹脂と金属の複合管、あるいはその他非金属管であって、金属製可撓管並みの可撓性を持たないものであってもスプリンクラーヘッド取付体が回転することで天井に垂直に固定されるスプリンクラーヘッドと容易に設置できることで、工事の省力化を図り、金属製可撓管を導水管に採用したスプリンクラーパイプと同等の施工性を有する管構造を提供すること。【解決手段】スプリンクラー配管に用いるための分岐管２とスプリンクラーヘッド４を接続するための管構造であって、取付体の内部、導水管３とスプリンクラーヘッド取付体５との間、もしくは導水管３の途中に設けられた回転機構６を備える。スプリンクラーヘッド取付体５がエルボ形状等のものであれば、スプリンクラーヘッド４の取付体直上における導水管３の曲げ加工を伴わず回転によって正確な取り付け角度に固定することができる。【選択図】図２
2014114930.tif 000002
【特許請求の範囲】
【請求項１】
スプリンクラー配管に用いるための、分岐管とスプリンクラーヘッドを接続するための管構造であって、
前記分岐管に接続する継手及び導水管と、
前記導水管の前記分岐管と反対側に接続されるスプリンクラーヘッド取付体と前記導水管と前記スプリンクラーヘッド取付体との間に設けられた回転機構とを備えることを特徴とする管構造。
【請求項２】
前記導水管は樹脂管又は樹脂と金属の複合管、ならびに非金属管であることを特徴とする、請求項１に記載の管構造。
【請求項３】
前記回転機構が、前記導水管と前記スプリンクラーヘッド取付体とを接続する継手又は前記スプリンクラーヘッド取付体に対して前記導水管が回転するものであることを特徴とする、請求項１又は２に記載の管構造。
【請求項４】
前記回転機構が、前記導水管と前記スプリンクラーヘッド取付体とを接続する継手の内部に設けられたものであることを特徴とする、請求項１又は２に記載の管構造。
【請求項５】
前記継手がワンタッチ式のものであることを特徴とする、請求項４に記載の管構造。
【請求項６】
前記スプリンクラーヘッド取付体が、前記導水管の受容方向と前記スプリンクラーヘッドの取付方向の角度による限定を受けないことを特徴とする、請求項１〜５のいずれか1項に記載の管構造。
【請求項７】
スプリンクラー配管に用いるための、分岐管とスプリンクラーヘッドを接続するための管構造であって、
スプリンクラーパイプの導水管を複数に分割してそれを接続する取付体であって、なおかつ複数の導水管の相対的な回転を許す機構を有しており、結果としてスプリンクラーヘッドの取付体の向きの調整を許容する構造となっていることを特徴とする管構造。
【発明の詳細な説明】
【技術分野】
【０００１】
本発明は、スプリンクラー配管に用いるための、分岐管とスプリンクラーヘッドを接続する導水管と両端の継手等の取付体から構成されるスプリンクラーパイプの構造に関するものである。
【背景技術】
【０００２】
火災が発生すると消火が困難な高層建築物や地下街、 また多くの人命の安全が懸念される福祉施設、病院、ホテル、百貨店等においてスプリンクラーが設置され、その配管が天井裏に設けられている。配管工事に当たっては、スプリンクラーヘッドは、天井に対して垂直に取り付けられ、予め設計されたエリアに向けて放水するために、各々のスプリンクラーヘッドを中心とする円形状の散水範囲が互いに若干重なりながら散水されない範囲が生じないように格子状に配置される必要がある。また天井裏に設けられるダクト、ケーブルラック、電線等の他の設備と干渉しないように、複雑な配管構造が要求されることも多く、狭い天井裏においての工事が、特に手間の大きいものとなってしまっていた。
【０００３】
上記の工事の手間を軽減するために、分岐管とスプリンクラーヘッドとを結ぶ導水管またはその一部を自在に折り曲げられる、いわゆる可撓管と呼ばれる曲げやすい金属製や樹脂製の管を採用したスプリンクラーパイプが採用されることが多い。
スプリンクラーヘッドは天井に垂直に取り付けられているので、主要給水管から分岐されて天井に対して概ね平行方向に配管されるスプリンクラーパイプはスプリンクラーヘッドの直上付近で直交に近い状態で接続される必要がある。その際、パイプに曲げ加工を施す場合と、スプリンクラーパイプのスプリンクラーヘッド側端の継手としてエルボ形状のものを採用する場合とが多い。
すなわち、薄板厚の金属製螺旋管を導水管に採用したスプリンクラーパイプについては、導水管が比較的曲がりやすいので、そのような接続は容易であるが、樹脂管やアルミ複合管を導水管に採用している場合は、曲げ半径が大きく、薄板厚の金属製螺旋管と同等の施工性は有していない。特に天井裏が狭い場所では管の曲げ加工が難しい場合が多いので、導水管の曲げ加工の代わりとして、スプリンクラーヘッド側の継手としてエルボ形状のものを採用し、導水管の曲げ加工に代用することが多い。
【０００４】
スプリンクラーパイプは分岐管にネジ込みにより接続されることが一般的なので、スプリンクラーパイプ全体を回転させてねじ込む必要がないように、スプリンクラーパイプの分岐管側継手は、本体に対して回転する機構や、ニップルネジと袋ナットを採用することが一般的になっている。
それに対してスプリンクラーパイプのスプリンクラーヘッド側の継手が、スプリンクラーの導水管に対して回転するように設計された製品は市場には流通していない。理由としては現在主流である金属可撓管を導水管に採用しているスプリンクラーパイプの場合は、比較的短く曲げやすいので、コストアップに見合う必要性がなかったことが挙げられる。また樹脂管については、融着接続や機械的カシメ式によりスプリンクラーパイプの継手とパイプの固着による接続が一般的で回転機能を追加することで、製造コストが上がり、市場に受け入れられ難いことが挙げられる。
【０００５】
架橋ポリエチレン管等の樹脂製パイプや樹脂と金属の複合管は、パイプ内面形状が平滑である（金属製可撓管のように凸凹の内面形状ではない）ために流体が通過する際に乱流の発生が少なく、流体抵抗が低いので金属製可撓管を導水管に採用しているスプリンクラーパイプと比較して長尺な導水管を有するスプリンクラーパイプの製作が可能である。そのため、11階より高いマンション等の共同住宅向けのスプリンクラーパイプは、導水管として主に架橋ポリエチレン管等の樹脂製パイプを採用し、玄関や風呂場の天井裏にヘッダーパイプを水平に設置して、そこから天井裏に導水管を這わして部屋毎にスプリンクラー配管を行う、ヘッダ工法が採用され、１０ｍを超える長尺な導水管も標準的に採用されている。
架橋ポリエチレン管がスプリンクラーパイプの導水管に採用される場合は、両端の継手もしくは樹脂製ヘッダーパイプとの接続の際に融着接続が用いられることが多い。架橋ポリエチレンは一般的に融着接続が困難なので、外層に無架橋のポリエチレン層を有する２層管として製造され、継手についても図９に示すように、パイプ外層部に接する継手のパイプ挿入部分に無架橋ポリエチレン層を有する構造になっている。パイプと継手の接続は、ニクロム線９２を用いて加熱してパイプ、継手双方の無架橋のポリエチレン層を熱で溶かして接続させる電気融着接続が一般的である。しかし、この構造には、（１）融着接続面に粉塵が付着すると融着不良になりやすく、工事現場での接続作業には不向きであること、（２）工事現場においてニクロム線４２に通電して加熱凝固をさせる場合には工事を担当する職人の技能を必要とするという問題があり、工事現場では安定的な接続加工を実施することは困難である。
スプリンクラーパイプに限らず給水給湯配管に関して樹脂管が採用される場合は、メーカーもしくは取扱商社の製品性能に対する責任所在の明確化が需要家から要求され、そのため、スプリンクラーパイプの製造メーカーもしくは、管材商社が独自のプレハブ加工工場を持ったり、専業のプレハブ加工会社と提携して供給体制が構築されており、客先からの図面に基づき、配管の図面化を行って必要部材の算出、組み立て、気密試験を行った後、住戸毎に樹脂製ヘッダーパイプを起点に複数のスプリンクラーパイプが融着接続された配管システムをプレハブ化されドーナッツ状に丸めて出荷される。樹脂管が導水管としてスプリンクラーパイプに採用される場合、前述したようにスプリンクラーヘッドの直上でパイプの曲げ加工を行うのは困難なので、スプリンクラーヘッドが取り付けられる継手にはエルボ形状のものが採用され、その取り付け角度はスプリンクラーヘッドの取り付け方向がヘッダーパイプに対して垂直方向に下方になるのが一般的である。
また、ヘッダーパイプと導水管の接続にも融着接続されることが多く、スプリンクラーパイプがプレハブ化された時点で、スプリンクラーヘッドの取付継手はヘッダーパイプに対して導水管の捩れ方向に対して固定されている。
【０００６】
工事現場でプレハブ化されたスプリンクラーパイプが施工される場合、ヘッダーパイプが水平に取り付けられるとスプリンクラーヘッド取付け継手のエルボは垂直下方を向くようにエルボ継手がヘッダーパイプに対して垂直下方に向くように融着接続される。
パイプの余長により途中のパイプが蛇行状態に設置される場合、パイプの捩れが発生し、エルボ継手のスプリンクラーヘッド取付け部が真下を向かず、それを矯正するために樹脂パイプを捻って固定金具で押さえこみ設置しなければならない、非常に困難な状況が多々見られる。
金属と樹脂との複合管を導水管としてスプリンクラーパイプを製作する場合、パイプの両端と継手の接続に、導水管端を両端の継手の接続部分とリング状の薄板厚の金属製金具の間に差し込み、専用工具によって金属製金具と導水管端を圧縮変形させて接続することが主流である。この場合、分岐管側の継手に回転機構有する継手を付加してヘッダーパイプや分岐管に対して接続後も導水管が捩れ方向に回転できる構造を採用しても、導水管が長尺になるほどスプリンクラーヘッドが天井に対して垂直に取り付けようとしても導水管自身が捩れると正常に取り付けることが困難であり、取り付け金具で無理やり取り付け角度を固定している状況が一般的で、施工作業を困難にしており、後日取付け金具が緩んでスプリンクラーヘッドの取り付け角度が変わるリスクや、その防止策として必要以上に強力な取付け金具が必要になりコストアップの原因となっている。
【０００７】
特許文献１には、回転可能な構造を有する管構造が開示されている。しかし、特許文献１の管構造は、スプリンクラーヘッドの角度の調整を蛇腹形状の金属製可撓管によって行うものであり、回転可能な構造をスプリンクラーヘッドの角度の調整に活用しているものではない。また金属製可撓管は板金加工により製造されるので、機械加工と比較して加工精度が低く、また０．３ｍｍ前後の板厚が標準的に使用されているので、封止用Ｏリング取付け部位が容易に変形することが予想されるので、実際に気密性を保持できる構造とは考えられず、実用性に乏しい管構造である。
【０００８】
特許文献２には、回転可能な構造の継手が開示されている。しかし、特許文献２の管構造は、内部が高圧となるスプリンクラー用の配管のために設計されたものではなく、スプリンクラーヘッドの回転角度の調整に活用することは開示されていない。
【先行技術文献】
【特許文献】
【０００９】
【特許文献１】特開２００５−０２７７６９号公報
【特許文献２】特開２０１０−２３６５６７号公報
【特許文献３】特開２０１１−０８９５６５号公報
【発明の概要】
【発明が解決しようとする課題】
【００１０】
解決しようとする課題は、導水管が樹脂管や樹脂と金属の複合管、あるいはその他非金属管であって、金属製可撓管並みの可撓性を持たないものであってもスプリンクラーヘッド取付体が回転することで天井に垂直に固定されるスプリンクラーヘッドと容易に設置できることで、工事の省力化を図り、金属製可撓管を導水管に採用したスプリンクラーパイプと同等の施工性を有する管構造を提供することである。
【課題を解決するための手段】
【００１１】
本発明の管構造は、
スプリンクラー配管に用いるための、分岐管とスプリンクラーヘッドを接続するための管構造であって、
前記分岐管に接続する継手及び導水管と、
前記導水管の前記分岐管と反対側に接続されるスプリンクラーヘッド取付体と前記導水管との間に設けられた回転機構とを備えることを特徴とする。
【００１２】
スプリンクラー配管においては、主管から枝分かれした分岐管（多くは金属製のもの）がスプリンクラーヘッドの近くまで配管され、スプリンクラーパイプにより分岐管とスプリンクラーヘッドが接続される。本発明は、分岐管とスプリンクラーヘッドを接続するための管構造に関するものである。
スプリンクラーヘッドは、スプリンクラーヘッド取付体にネジ込み等によって接続され、天井に対して垂直に固定される。スプリンクラーヘッドが天井に垂直に固定されるために、スプリンクラーヘッド取付体の固定角度の調整が必要である。導水管の長手方向の角度調整については、導水管が金属製可撓管、樹脂管、樹脂と金属の複合管のいずれの場合でも導水管を曲げることで比較的に容易に対応できるが、上述のように導水管の捩れ方向の角度調整は、樹脂管や樹脂と金属の複合管の場合は、継手が導水管に固定されており、導水管をそのものも捩ることが難しい。
ここで「スプリンクラーヘッド取付体」とは、管構造の中でスプリンクラーヘッドに直接的に結合される部材を言い、管であることも、継手であることも、管と継手の一体化された管継手であることも、いずれも考えられる。
スプリンクラーヘッド取付体はスプリンクラーパイプの導水管を介して分岐管に接続される。導水管とスプリンクラーヘッド取付体との間に回転機構を設ければ、その回転機構によってスプリンクラーヘッド取付体の導水管の捩れ方向の角度を調整することができる。
スプリンクラーヘッド取付体と導水管との相対的な角度の調整を行うものであるので、固定されたスプリンクラーヘッド取付体と導水管とが相対的に回転することでも目的が達成される。導水管を回転させることのみであれば、分岐管と導水管との間に回転機構を設け、導水管とスプリンクラーヘッド支持体との間に回転機構を設けないこととしても実現可能であり、そのような管構造も考えられる。しかし、導水管は数ｍから１０ｍ超の長さに及び、なおかつ他の配管やダクトを迂回して配管されている場合が多く、分岐管側が既に接続された導水管の反対側を握って回転させようとしても、非常な困難が予想される。また工事現場の高所においてスプリンクラーパイプの配管工事を行っている時にスプリンクラーヘッド取付体の取り付け角度の調整の度毎に導水管の両端間を作業者が往復移動することは手間が大きい。よって回転機構を導水管とスプリンクラーヘッド取付体との間に設けることが好ましい。
【００１３】
本発明の管構造は、
前記導水管は樹脂管又は樹脂と金属の複合管、または非金属管であることを特徴とする。
【００１４】
非金属製の導水管としては、樹脂管の採用は多く、今後は樹脂と金属から構成される複合管が用いられることが増加すると予想される。導水管が蛇腹形状の金属製可撓管の場合は、長さが最長で４ｍ以下で、なおかつ十分な可撓性を有する場合には、回転機構がなくともスプリンクラーヘッドの角度の調整が可能である。しかしかかる管は、長尺での使用を中心に想定されており、蛇腹形状の金属製可撓管と比較して可撓性に乏しいので、スプリンクラーヘッドを天井に対して垂直に取り付けるために回転機構が望ましい。
なお、導水管が蛇腹形状の金属製可撓管のように十分な可撓性を有する場合であっても、後述のスプリンクラーヘッド取付体の向きの調整のために、回転機構を有することが作業の省力化の観点からも好ましい。
【００１５】
本発明の管構造は、
前記回転機構が、前記導水管と前記スプリンクラーヘッドと接続する継手又は前記スプリンクラーヘッド取付体が相対的に回転するものであることを特徴とする。
【００１６】
回転機構は、導水管とそれに接続される継手との間に設けることができる。スプリンクラーヘッド取付体が管であれば、導水管とスプリンクラーヘッド取付体とを接続する継手に対して導水管が回転することで回転機構となる。スプリンクラーヘッド取付体が管継手（端部が継手であるような管）であれば、スプリンクラーヘッド取付体に対して導水管が回転することで回転機構となる。
【００１７】
本発明の管構造は、
前記回転機構が、前記導水管と前記スプリンクラーヘッド取付体とを接続する継手の内部に設けられたものであることを特徴とする。
【００１８】
回転機構は、継手の内部に設けることもできる。この場合、継手は、導水管及びスプリンクラーヘッド取付体に固定される。
【００１９】
本発明の管構造は、
前記継手がワンタッチ式のものであることを特徴とする。
【００２０】
ワンタッチ式の継手は、工事の省力化という本発明の目的に適している。ここで、「ワンタッチ式」の継手とは、例えば特許文献３に示すように継手に管を挿入するだけで継手と管とが結合するものを言う。なお、特許文献３の継手は、回転可能ではなく、市場に流通しているすべてのワンタッチ式の継手が導水管と継手が相対的に回転するものではない。
【００２１】
本発明の管構造は、
前記スプリンクラーヘッド取付体が、前記導水管の受容方向と前記スプリンクラーヘッドの取付方向の角度による限定を受けないことを特徴とする。
【００２２】
回転機構によって、スプリンクラーヘッドの角度に合わせるため、回転によってスプリンクラーヘッド取付体のスプリンクラーヘッド取付角度を変えるものである必要がある。すなわち、スプリンクラーヘッド取付体において、導水管の受容方向とスプリンクラーヘッドの取付方向が同一の場合には回転させても角度が変わらない。これら２つの方向が異なる必要がある。導水管の受容方向とスプリンクラーヘッドの取付方向が異なるスプリンクラーヘッド取付体としては、エルボ形状のものが広く用いられている。
一方、導水管の受容方向とスプリンクラーヘッドの取付方向が同一の場合においても、回転を必要とすることがある。例えば、図８に示すように、スプリンクラーヘッド取付体の外形が八角形状であって、該八角形によって固定具に対して回転不能に固定する場合である。スプリンクラーヘッド取付体の向きの調整が必要となるためである。したがって、本発明の技術的範囲は導水管の受容方向とスプリンクラーヘッドの取付方向が異なるものに限定されるものではない。
「スプリンクラーヘッドの取付方向の角度による限定を受けない」とは、スプリンクラーヘッドの取付方向を調整する目的で回転させる場合に限定されず、その他の目的で回転させる場合をも含むという意味である。
【００２３】
本発明の管構造は、
スプリンクラー配管に用いるための、分岐管とスプリンクラーヘッドを接続するための管構造であって、スプリンクラーパイプの導水管を複数に分割してそれを接続する取付体であって、なおかつ複数の導水管の相対的な回転を許す機構を有しており、結果としてスプリンクラーヘッドの取付体の向きの調整を許容する構造となっていることを特徴とする。
【００２４】
回転機構をスプリンクラーヘッド取付体に接して設けずに、スプリンクラーパイプ内に設けることによっても、上述と同様の効果を得ることができる。
【発明の効果】
【００２５】
本発明の管構造は、導水管が十分な可撓性を持たないものであってもスプリンクラーヘッドの角度を正確に固定することができ、工事の省力化に寄与する。
ワンタッチ式の管継手を用いて工事の手間を更に軽減することもできる。また、スプリンクラーヘッド取付体の向きの調整も可能である。
【図面の簡単な説明】
【００２６】
【図１】図１は、スプリンクラー用配管を示す図である。
【図２】図２は、分岐管とスプリンクラーヘッドを接続するための管構造を示す図である。
【図３】図３は、回転機構を持つエルボ型管継手を示す図である。
【図４】図４は、回転機構を持つエルボ型管継手の切断面端面図である。
【図５】図５は、回転機構を持つ継手を示す図である。
【図６】図６は、回転機構を持つ継手の切断面端面図である。
【図７】図７は、回転機構を持つワンタッチ継手の切断面端面図である。
【図８】図８は、スプリンクラーヘッド取付体の固定構造を示す図である。
【図９】図９は、従来の回転機構を示す図である。
【発明を実施するための形態】
【００２７】
以下、本発明の実施例を示す。ただし、本発明の技術的範囲はこの実施例に限定されるものではない。
【実施例１】
【００２８】
図１は、スプリンクラー用配管を示す図である。主管１に分岐管２が接続され、分岐管２から導水管３を経てスプリンクラーヘッド４に送水される。各々のスプリンクラーヘッド４は天井に設置され、床面において点線で示された放水範囲に放水する。放水範囲を確保するため、各々のスプリンクラーヘッド４は正確に真下を向いて設置されることが必要である。
【００２９】
図２は、分岐管とスプリンクラーヘッドを接続するための管構造を示す図である。分岐管２から導水管３が延伸され、スプリンクラーヘッド取付体５を介してスプリンクラーヘッド４に送水される。導水管３とスプリンクラーヘッド取付体５との間には、回転機構６が設けられている。スプリンクラーヘッド取付体５は、固定金具７によって方向を固定される。
導水管３は、図において点線で示した部分が数ｍ〜１０ｍ超の長さとなることがある。分岐管２と導水管３とを接続する継手８の部分については、工事現場においてスプリンクラーヘッドの作業を行っている時に操作することは困難な場合も多くある。
【００３０】
図３は、回転機構を持つエルボ型管継手を示す図である。エルボ型管継手６１は、スプリンクラー取付体５と回転機構６とが一体化されたものである。カシメリング６１ａの側に導水管３が挿入され、カシメ固定される。他の側には、スプリンクラーヘッド４が螺合される。
図４は、回転機構を持つエルボ型管継手の切断面端面図である。カシメリング６１ａと本体先端部６１ｂとの間に導水管３を挿入し、エルボ型管継手６１を導水管３に対して回転することができる。Ｏリング６１ｃが設けられており、気密性、水密性は保たれている。ねじ山６１ｄにより、スプリンクラーヘッド４を螺合する。
【００３１】
工事は、以下の手順で行えばよい。
まず、スプリンクラーヘッド取付体５を固定金具７に通し、ねじ山６１ｄにスプリンクラーヘッド４を螺合する。なお、スプリンクラーヘッド取付体５を固定金具７とは、図８に示すように、スプリンクラーヘッド取付体５の八角形の外形によって角度を固定するものである。図示しない固定具を固定金具７に付して更に強固な固定を行ってもよい。
次に、導水管３をスプリンクラーヘッド取付体５に挿入する。導水管３とスプリンクラーヘッド取付体５とが相互に回転可能であるので、固定金具７に通した状態においても不自然な力を加えずに導水管３をスプリンクラーヘッド取付体５に挿入することができる。その後、カシメリング６１ａによってカシメ固定する。
【００３２】
以上の構成によれば、スプリンクラーヘッド４への通水のための工事を容易に行うことができ、固定金具７によってスプリンクラーヘッドの角度を固定することができる。
なお、エルボ型管継手６１の屈曲角度を９０度として図示してあるが、天井の設置角度や導水管の設置経路によっては他の屈曲角度であってもよい。
【実施例２】
【００３３】
実施例１は、スプリンクラーヘッド取付体と導水管が回転するものであった。本実施例は、導水管とスプリンクラーヘッド取付体とを接続する継手の内部に回転機構を設けるものである。回転機構５以外の部分は、実施例１と同様であるので、説明を省略する。
【００３４】
図５は、分岐管に接続される継手で回転機構を持つものの一例を示す図である。回転機構を持つ継手６２において、カシメリング６２ａの側に導水管３が挿入され、カシメ固定される。他の側には、スプリンクラーヘッド取付体５が螺合される。
図６は、回転機構を持つ継手の切断面端面図である。カシメリング６２ａと本体先端部６２ｂとの間に導水管３を挿入して固定する。Ｏリング６２ｃが設けられており、気密性、水密性は保たれている。回転機構を持つ継手６２の本体の外側に、ねじ山６２ｄを有する回転体６２ｅが設けられている、ねじ山６１ｄにより、スプリンクラーヘッド取付体５を螺合する。本体と回転体の間にはＯリング６２ｆが設けられており、漏水のおそれはない。
スプリンクラーヘッド取付体５は、実施栄１と同様にエルボ型のものである。
【００３５】
工事は、以下の手順で行えばよい。
まず、導水管３に回転機構を持つ継手６２を取り付ける。カシメリング６２ａと本体先端部６２ｂとの間に導水管３を挿入しカシメリング６２ａによりカシメ固定すればよい。
次に、スプリンクラーヘッド取付体５をねじ山６２ｄに螺合する。この状態においても、回転機構を持つ継手６２の本体と回転体とが相互に回転するので、導水管３とスプリンクラーヘッド取付体５とが相互に回転可能である。
スプリンクラーヘッド取付体５を固定金具７に通し、スプリンクラーヘッド取付体５にスプリンクラーヘッド４を螺合する。
【００３６】
なお、カシメリング６２ａによるカシメ固定を行う前であれば導水管３と回転機構を持つ継手６２とが相互に回転可能である。したがって、実施例１と同様の手順で工事を行うこともできる。
【実施例３】
【００３７】
本実施例は、ワンタッチ式の継手を用いるものである。継手以外の部分は、実施例２と同様であるので、説明を省略する。
【００３８】
図７は、回転機構を持つワンタッチ継手の切断面端面図である。回転機構を持つワンタッチ継手６３を、実施例２における回転機構を持つ継手６２に替えて用いる。
工事は、以下の手順で行えばよい。
まず、導水管３に回転機構を持つワンタッチ継手６３を螺合する。
次いで、スプリンクラーヘッド取付体５を受容部６３ａに挿入する。この時点では、スプリンクラーヘッド取付体５が回転機構を持つワンタッチ継手６３に対して回転可能、すなわち、導水管３に対して回転可能である。
スプリンクラーヘッド取付体５を固定金具７に通し、スプリンクラーヘッド取付体５にスプリンクラーヘッド４を螺合する。
【００３９】
工事完了後に通水すると、導水管と導水管保持具６３aが水圧で継手の挿入口方向に押し出されると63aが収まっている６３ｂと６３ｃの間隙が同方向に狭くなっており、その間隙に６３aがくさび状に押し込まれるので、６３aと６３ｂと６３c間で発生する摩擦力でスプリンクラーヘッド取付体５回転しなくなる。また、Ｏリング６３ｄが設けられており、気密性、水密性は保たれている。
【産業上の利用可能性】
【００４０】
本発明の分岐管とスプリンクラーヘッドを接続する管構造は、導水管が金属製可撓管並みの可撓性を持たないものであってもスプリンクラーヘッドの取付体が回転することによってスプリンクラーヘッドを天井に対して正確に垂直に調整できるので、施工の担当者の技量を要求することなくスプリンクラーパイプの配管施工を容易に行うことができる。  またスプリンクラーヘッドの取付体の形状が例えエルボ形状であっても同様で、工事の省力化に寄与するものである。多くのゼネコン、設備工事会社、防災配管工事施工業者による利用が期待される。
更に、本明細書で例示したようなワンタッチ式の管継手を採用することによって回転機構と導水管と継手の接続機構が兼用できるので、本発明の実現のための製造コストを抑えることが期待できる。新機構の採用による大幅な価格上昇が生じないことが期待されるので、ゼネコン、設備工事会社、防災配管工事施工業者等に対して採用意欲を高められることが強く期待される。
また主管が樹脂製の場合には可撓性の補完的な役目を果たし、樹脂管による長尺な製品の導入をより容易にするので、金属製分岐管の使用量を減らし、それに伴い付随する分岐管用の継手や分岐管の固定金具の部材費、施工のための人件費の節約、接続箇所の減少による漏水に対する管理費の削減効果が顕著であるので、従来の金属製可撓管を採用したスプリンクラーパイプの代替として樹脂管や樹脂と金属の複合管、その他非金属管を導水管とするスプリンクラーパイプの普及が製促進されることが期待される。
以上のとおり、本発明は、産業上の利用可能性を幅広く有する。
【符号の説明】
【００４１】
１    主管
２    分岐管
３    導水管
４    スプリンクラーヘッド
５    スプリンクラーヘッド取付体
６    回転機構
６１  エルボ型管継手
６２  回転機構を持つ継手
６３  回転機構を持つワンタッチ継手
７    固定金具取り付け金具
８    継手
９１  熱可逆性樹脂
９２  ニクロム線
【図１】
2014114930.tif 000003
【図２】
2014114930.tif 000004
【図３】
2014114930.tif 000005
【図４】
2014114930.tif 000006
【図５】
2014114930.tif 000007
【図６】
2014114930.tif 000008
【図７】
2014114930.tif 000009
【図８】
2014114930.tif 000010
【図９】
2014114930.tif 000011